(57)【特許請求の範囲】
【請求項１】
軸筒の内部に芯繰り出し機構が配置され、また、軸筒の中間部にノック駒が配置されたサイドノック式シャープペンシルであって、前記軸筒のノック駒が位置する前方部、並びに、後方部を隆起せしめ大径部とすると共に、前記ノック駒の周縁部に凹陥部を形成し、また、前記前方部の大径部の表面と前記ノック駒の頂部とをほぼ同一な高さとすると共に、前記ノック駒を軸筒に対して垂直方向に押圧可能に配置し、さらに、前記凹陥部の前方、並びに、後方の壁面を円弧状に形成したことを特徴とするサイドノック式シャープペンシル。
【発明の詳細な説明】
【０００１】
【発明の属する技術分野】
本発明は、軸筒の内部に芯繰り出し機構が配置され、また、軸筒の中間部にノック駒が配置されたサイドノック式シャープペンシルに関する。
【０００２】
【従来の技術】
１例として、登録実用新案第３０５２６９９号公報を挙げ説明する。その公報の従来例には、軸筒の中間部側面に配置されているサイドノックボタンを押圧することによって芯を繰り出す、サイドノック式のシャープペンシルが記載されている。詳述すると、前記サイドノックボタンは、軸筒の表面から突出ており、その突出したサイドノックボタンを軸筒の長手方向に対して垂直方向に押圧することによって、芯の繰り出しを行っている。
【０００３】
【発明が解決しようとする課題】
ところで、上述した従来技術にあっては、芯を十分に繰り出すために、サイドノックボタンが軸筒の表面からかなり突出している。そのため、ポケットなどにこのシャープペンシルを差し込む際に、前記突出したサイドノックボタンがポケットの縁などに引掛かってしまい、いやな思いをしてしまうことがあった。また、差し込んだ状態においても、サイドノックボタンが不慮の動作によって押圧されてしまい、その結果、芯が繰り出され、ポケット内部を汚してしまったり、折損した芯がポケット内に落下し、これ又、ポケット内部を汚してしまっていた。
【０００４】
【課題を解決するための手段】
本発明は、軸筒の内部に芯繰り出し機構が配置され、また、軸筒の中間部にノック駒が配置されたサイドノック式シャープペンシルであって、前記軸筒のノック駒が位置する前方部、並びに、後方部を隆起せしめ大径部とすると共に、前記ノック駒の周縁部に凹陥部を形成し、また、前記前方部の大径部の表面と前記ノック駒の頂部とをほぼ同一な高さとすると共に、前記ノック駒を軸筒に対して垂直方向に押圧可能に配置し、さらに、前記凹陥部の前方、並びに、後方の壁面を円弧状に形成したことを要旨とする。
【０００５】
【作用】
軸筒の大径部の表面とノック駒の表面とがほぼ同等な高さとなり、凹凸の殆どない表面の軸筒が得られる。
【０００６】
【実施例】
第１例を図１に示し説明する。軸筒１の後方部は、芯を複数本収納可能な断面が六角形状の芯タンク部２となっている。また、軸筒１の後端部には消しゴム３が着脱自在に圧入されており、更に、その消しゴム３を覆うようにキャップ４が着脱自在に嵌合している。そのキャップ４には、クリップ５が一体形成されているが、別部材で構成し互いを圧入などの手段によって固定しても良い。
一方、軸筒１の前方内側には、前記芯タンク部２からの芯を１本ごと分離する芯挿通孔６が形成された芯受け部７を有するスライド部材８が前後動可能に配置されており、そのスライド部材８の前端には、芯の把持・解放を行うチャック体９が固定されている。そのチャック体９の前方外周には、チャック体の開閉を行うチャックリング１０が囲繞している。符号１１は、軸筒１の前端に螺着などの手段によって着脱自在に固定された先部材であって、その先部材１１の内部には、芯を軽く保持し、芯繰り出し操作の際芯の後退を阻止するゴム状弾性体からなる芯戻り止め部材１２が圧入されているが、前記先部材１１の内面に一体形成しても良い。符号１３は、先部材１１の先端に固定された芯保護管であるが、この部材も先部材１１に一体成形などしても良い。
【０００７】
また、前記軸筒１の前方部外面は、その後部に比し大径部１４となっている。具体的には、卵のような楕円形状をなしており、前記クリップ５が位置する方向の肉厚が厚くなっている。即ち、偏心した楕円状の大径部１４は、軸筒１の後部に比し大径となっているが、内径は芯タンク部２とほぼ同一な形状（内径）をなしている。尚、芯タンク部２における外径は、円形状をなしているが（図４参照）、クリップ部５が位置する表面をフラットな面状に加工することによって、美観を向上させるなどしても良い。
前記大径部１４には、窓孔１５が形成されており、その窓孔１５には前記スライド部材８を前進移動せしめるノック駒１６が配置されている。そして、そのノック駒１６の頂部１７は、前記大径部１４の外径表面とほぼ同一な高さとなっている。図示例のものにおいては、ノック駒１６の頂部１７が大径部１４から若干突出（約０．５ｍｍ〜１．５ｍｍ）しているが、同等な高さとしても良く、或いは、若干凹んだ状態で位置させても良い。また、軸筒１の、前記ノック駒１６の周縁部には凹陥部１８が形成されており、ノック駒１６の押圧操作性を向上させている。具体的に説明すると、凹陥部１８はノック駒１６の押圧ストローク分の深さを有しており、芯の繰り出し操作において十分な押圧ストロークを確保している。
尚、前記ノック駒１６には、その断面がコ字型をしており、その両側面には傾斜面１９が前後に形成されている。そして、その傾斜面１９が前記スライド部材８の中間部に形成された傾斜面２０に当接している。即ち、ノック駒１６を軸筒１の長手方向に対して垂直方向に押圧すると、ノック駒１６の傾斜面１９がスライド部材８の傾斜面２０を押圧し、これによってスライド部材８が前進し、芯が繰り出されるのである。
符号２１は、前記大径部１４の１部分を構成するゴム状弾性体からなるグリップ部材２１であるが、このグリップ部材を使用せずに軸筒１にローレット加工を施すなどして把持した際の滑り止め性を向上させても良い。また、符号Ｓは、前記スライド部材８やチャック体９を後方に付勢するためのコイルスプリングなどの弾撥部材からなるチャックスプリングである。
【０００８】
この様に、軸筒の１の前方部を大径部にし、その大径部にノック駒を配置することによって、ノック駒をその大径部から突出させることなく十分な押圧操作量を確保することができると共に、軸筒１の重心が前方に位置し、疲労感が少なく、また、書き心地の良い筆記を行うことができるようになる。
また、軸筒の１部分を楕円形状にすることによって、クリップが付加されていないシャープペンシルであっても、机上面などにおいた際の転がりや落下などを防止することができると共に、ノック駒の位置が容易に確認し得るものとなっている。
【０００９】
第２例を図５に示し説明する。前記第１例では、軸筒１の前方に偏心した楕円形状の大径部１４を形成したが、本例では、単に、円形状の大径部２２としている。本例においても、大径部２２の表面とノック駒１６の頂部１７との高さがほぼ同一なものとなっている（特に、図６参照）。他の構成は、前記第１例と同様なので、その説明を省略する。
本例において、大径部２２や軸筒１の後部を円形状部としているので、射出成形などによって成形した場合における軸筒の微小な湾曲を極力防止することができるので、軸筒に印刷などを施した場合における部分的な印刷不良なども防ぐことができる。ちなみに、前記第１例においては、大径部１４が偏心した楕円形状となっているため、各部位における収縮速度が異なってしまい、成形条件如何によっては僅かながらではあるが湾曲してしまう危険性を孕んでいる。
【００１０】
【発明の効果】
本発明は、軸筒の内部に芯繰り出し機構が配置され、また、軸筒の中間部にノック駒が配置されたサイドノック式シャープペンシルであって、前記軸筒のノック駒が位置する前方部、並びに、後方部を隆起せしめ大径部とすると共に、前記ノック駒の周縁部に凹陥部を形成し、また、前記前方部の大径部の表面と前記ノック駒の頂部とをほぼ同一な高さとすると共に、前記ノック駒を軸筒に対して垂直方向に押圧可能に配置し、さらに、前記凹陥部の前方、並びに、後方の壁面を円弧状に形成したので、スムーズにポケットなどに差し込むことができると共に、誤動作を防止することができる。
【図面の簡単な説明】
【図１】  本発明の第１例を示す縦断面図。
【図２】  図１のＡ−Ａ線断面図。
【図３】  図１のＢ−Ｂ線断面図。
【図４】  図１のＣ−Ｃ線断面図。
【図５】  第２例を示す縦断面図。
【図６】  図２のＤ−Ｄ線断面図。
【図７】  図２のＥ−Ｅ線断面図。
【図８】  図１のＦ−Ｆ線断面図。
【符号の説明】
１      軸筒
２      芯タンク部
３      消しゴム
４      キャップ
５      クリップ
６      芯挿通孔
７      芯受け部
８      スライド部材
９      チャック体
１０      チャックリング
１１      先部材
１２      芯戻り止め部材
１３      芯保護管
１４      大径部
１５      窓孔
１６      ノック駒
１７      頂部
１８      凹陥部
１９      傾斜面
２０      傾斜面
２１      グリップ部材
２２      大径部
Ｓ        チャックスプリング
【図１】
0004337286.tif 000002
【図２】
0004337286.tif 000003
【図３】
0004337286.tif 000004
【図４】
0004337286.tif 000005
【図５】
0004337286.tif 000006
【図６】
0004337286.tif 000007
【図７】
0004337286.tif 000008
【図８】
0004337286.tif 000009